(57)【特許請求の範囲】
【請求項１】
パチンコ遊技機の前面枠に開閉可能に配設された前板の前面に取り付けられ、払い出された遊技球を受け入れ、内側に設けた球送り口から球供給装置に該遊技球を送出するパチンコ遊技機の球受け皿装置において、
該球受け皿装置の底部を形成する球受け皿底部が該前板の前面に固定され、該前板から張り出した該球受け皿底部の端縁を取り囲む装飾カバーが、該球受け皿底部とは分離して且つ端部の枢軸を介して開閉可能に装着され、該装飾カバーには遊技球を整列させて該球送り口に送るための整流通路が設けられ、該球受け皿底部の端部には前記球送り口が設けられ、該球受け皿底部の上方が該装飾カバーを開くことにより開放され、該装飾カバーの閉鎖状態をロックするためのロック装置が該前板の内側に設けられたことを特徴とするパチンコ遊技機の球受け皿装置。
【請求項２】
前記ロック装置は、１対の挟持部材を枢軸により開閉可能に支持すると共に、該各挟持部材の元部に把持部を設け、各挟持部材の挟持先端部を閉じる方向に付勢するばね弾性部材を装着して構成され、該挟持先端部が挟持可能な受け部が前記装飾カバーの内側に設けられ、該１対の挟持部材の挟持先端部は相互の位置をずらした状態で該受け部を挟持するように形成されたことを特徴とする請求項１記載のパチンコ遊技機の球受け皿装置。
【発明の詳細な説明】
【技術分野】
【０００１】
本発明は、パチンコ遊技機の球受け皿装置に関し、特に装飾カバーを正面側に開閉または引出し可能とし、遊技球を整列させる整流通路の終端部近傍を開放して、球送り口を容易に清掃可能としたパチンコ遊技機の球受け皿装置に関する。
【背景技術】
【０００２】
パチンコ遊技機の払出球を受ける球受け皿としての上皿は、通常、上方に広く開口して多数の遊技球を収容可能な形状に形成され、上皿の端部には、遊技球を一列に整列させて、球供給装置への球送り口または球抜き孔に導くために、整流通路が形成されている。上方に広く開放された上皿には、塵が溜まりやすく、特に整流通路に塵が溜まった場合には遊技球の流下が阻害され、球詰りを発生させやすいため、整流通路の終端部から球送り口にかけて頻繁に清掃する必要がある。
【０００３】
そこで、従来、下記特許文献１において、上皿の整流通路部分を、清掃しやすい構造とした上皿装置が提案されている。この上皿装置は、上皿内の整流通路の側壁を構成する側板部を、支持板（前板）に対し上下に摺動させて着脱可能な構造としたものである。
【特許文献１】特開２００３−５２９８９号公報
【発明の開示】
【発明が解決しようとする課題】
【０００４】
しかし、従来のこの種の上皿装置は、整流通路の奥側壁部の側板部を上方に摺動させて、取り外し、裏側から整流通路を清掃することができるものの、整流通路の末端の裏側に、遊技球を発射装置に送る球供給装置が固定されるため、その部分を取り外すことはできず、整流通路の最終端近傍から球供給装置への球送り口にかけての清掃が難しいという課題があった。
【０００５】
本発明は、上述の課題を解決するものであり、カバー部材などで覆われて手の届きにくい整流通路の終端近傍から球送り口までを、容易に清掃することができるパチンコ遊技機の球受け皿装置を提供することを目的とする。
【課題を解決するための手段】
【０００６】
本発明に係るパチンコ遊技機の球受け皿装置は、パチンコ遊技機の前面枠に開閉可能に配設された前板の前面に取り付けられ、払い出された遊技球を受け入れ、内側に設けた球送り口から球供給装置に該遊技球を送出するパチンコ遊技機の球受け皿装置において、該球受け皿装置の底部を形成する球受け皿底部が該前板の前面に固定され、該前板から張り出した該球受け皿底部の端縁を取り囲む装飾カバーが、該球受け皿底部とは分離して且つ端部の枢軸を介して開閉可能に装着され、該装飾カバーには遊技球を整列させて該球送り口に送るための整流通路が設けられ、該球受け皿底部の端部には前記球送り口が設けられ、該球受け皿底部の上方が該装飾カバーを開くことにより開放され、該装飾カバーの閉鎖状態をロックするためのロック装置が該前板の内側に設けられたことを特徴とする。
【０００８】
また、上記ロック装置は、１対の挟持部材を枢軸により開閉可能に支持すると共に、各挟持部材の元部に把持部を設け、各挟持部材の挟持先端部を閉じる方向に付勢するばね弾性部材を装着して構成され、挟持先端部が挟持可能な受け部が装飾カバーの内側に設けられ、１対の挟持部材の挟持先端部は相互の位置をずらした状態で該受け部を挟持するように形成することができる。
【発明の効果】
【０００９】
上記構成の球受け皿装置によれば、球受け皿を清掃する際、パチンコ遊技機の前板を開放し、前板の内側からロック装置のロックを解除して、装飾カバーを前方に開く。これにより、球受け皿底部の上方が開放され、特にその整流通路の終端部分近傍から球送り口の上方が開放されて露出するため、従来は覆われて清掃しにくい、球受け皿の底部から球送り口にかけての部分の塵や汚れを、簡単に除去して清掃することができる。
【００１０】
また、パチンコ遊技機の通常使用時、装飾カバーは、ロック装置により前板に対し強固にロックされているため、無理にこじ開けることは不可能であり、装飾カバーを開閉可能としたことによる不正行為を、防止することができる。また、ロック装置が前板の内側に設けられるので、前板の施錠具を解錠操作して開放しなければ、前板を開くことができず、前板を開放できなければ、装飾カバーも開くことができないので、防犯性を向上させることができる。
【発明を実施するための最良の形態】
【００１１】
以下、本発明の一実施形態を図面に基づいて説明する。図１はパチンコ遊技機の斜視図を示し、図２はその球受け皿装置４の装飾カバー５を開いた状態を示している。パチンコ遊技機は、概略的には、外枠１の前面に、前面枠２が開閉可能に取り付けられ、前面枠２の前面の略上部側部分に、ガラス枠１９がヒンジを介して開閉可能に装着されている。さらに、前面枠２の前面におけるガラス枠１９の下側には、前板３が正面に向かって左端に設けたヒンジを介して開閉可能に取り付けられている。
【００１２】
そして、前板３の前面には、上皿を構成する球受け皿装置４の装飾カバー５が、左端の枢軸５ａを介して開閉可能に取り付けられ、その球受け皿装置４の底部を構成する球受け皿底部６は、前板３の前面に取り付けられている。また、前面枠２の下部の正面側に、下皿８が取り付けられ、下皿８の右側に、遊技球の発射を操作する発射ハンドル９が設けられている。
【００１３】
図３、図４に示すように、前板３の正面に向かって左側に遊技球の払出口１８が設けられ、この払出口１８は球受け皿装置４の前板３に開口しており、図示しない払出装置の送出口に連通接続される。さらに、前板３の内側には、図示しない球発射装置に遊技球を供給するための球供給装置１７が設けられ、球供給装置１７に図示しない案内樋を介して遊技球を導くための球送り口７が、装飾カバー５と球受け皿底部６の境界部分の前板３に、形成されている。
【００１４】
すなわち、上皿を構成する球受け皿装置４は、その底部を形成する球受け皿底部６と球受け皿底部６の一部を覆う装飾カバー５とが分離して形成され、装飾カバー５は左端の枢軸５ａを介して開閉可能に取り付けられ、球受け皿底部６は前板３の前面に固定される。
【００１５】
装飾カバー５は、球受け皿底部６において前板３から張り出している部分の端縁を取り囲むと共に、球受け皿装置４の中央部付近から終端部にかけて球の整流通路４ａが形成されるように同球受け皿底部６の上方の一部を覆っている。装飾カバー５の内側には、整流通路４ａに沿って延びる帯状の整流板５ｂが装着されている。
【００１６】
また、図２に示すように、球受け皿装置４の終端部分近傍の球受け皿底部６の端部と前板３に球送り口７が設けられ、装飾カバー５を球受け皿底部６に対し開いたとき、球送り口７が露出するように構成されている。
【００１７】
閉じられた装飾カバー５は、図５〜図１１のようなロック装置１０によってロックされる。このロック装置１０は、１対の挟持部材１１，１２を枢軸１３により開閉可能に支持すると共に、各挟持部材１１，１２の元部に把持部１１ｂ、１２ｂを突設し、各挟持先端部１１ａ，１２ａを閉じる方向に付勢する捻りコイルばね（ばね弾性部材）１４を装着して構成される。
【００１８】
ロック装置１０の１対の挟持部材１１，１２の挟持先端部１１ａ，１２ａは、内側に円弧状の凹部を有して形成され、その内側に円柱状の受け部１５を挟持する。また、１対の挟持部材１１，１２の挟持先端部１１ａ，１２ａは、図５，６に示すように、相互に非対向位置で受け部１５を挟持するように、つまり軸方向に相互の位置をずらし、挟持先端部１１ａ，１２ａが非対向位置で受け部１５を挟持するように、挟持部材１１，１２が１本の枢軸１３で枢支されている。
【００１９】
さらに、１対の挟持部材１１，１２の元部に軸孔が穿設され、その軸孔に枢軸１３が挿通されるが、図１２に示すように、その軸孔の内部に、ばね用収容部１１ｃ、１２ｃが大径部とそれに続くラジアル方向凹部として設けられる。そして、ばね用収容部１１ｃ、１２ｃ内に、捻りコイルばね（ばね弾性部材）１４が枢軸１３に外嵌する形態で収容されている。捻りコイルばね１４の両端部は、ばね用収容部１１ｃ、１２ｃの端部のラジアル方向凹部に嵌入され、挟持部材１１，１２の挟持先端部１１ａ，１２ａを閉じる方向に付勢するように装着される。
【００２０】
これにより、ロック装置１０は、通常時、図７の如く、その捻りコイルばね１４の付勢力によって、挟持部材１１，１２の挟持先端部１１ａ，１２ａを閉じる。そして、把持部１１ｂと１２ｂを把持して内側に操作すると、図８のように、捻りコイルばね１４の付勢力に抗して挟持先端部１１ａ，１２ａが開くように動作する。また、このロック装置１０は、その捻りコイルばね１４が内側に設けたばね用収容部１１ｃ、１２ｃ内に収容されるため、捻りコイルばね１４は外側に露出せず、不正行為などにより捻りコイルばね１４が外れる不具合を防止することができる。
【００２１】
そして、このロック装置１０は、図１３、図１４に示すように、前板３の自由端近傍に、その枢軸１３の両端を保持させ、挟持先端部１１ａ，１２ａを装飾カバー５側に向けて取り付けられ、挟持先端部１１ａ，１２ａ間内に、後述の装飾カバー５の内側に突設した受け部１５を、進入可能としている。なお、図１４に示すように、ロック装置１０を前板３に対し略水平位置に保持させるために、支持部材３ａが設けられている。
【００２２】
受け部１５は、丸棒を略コ字状に曲折して形成され、図１３，１４に示すように、装飾カバー５の内側に、前板３に取り付けたロック装置１０に向けて突設される。前板３の自由端側は、図示しない施錠具により前面枠２に対し施錠される構造となっている。前板３の前面の球受け皿装置４は、図１、図３、図１４の右端図に示すように、球受け皿底部６の上部に嵌め込むように、前板３に対し閉じられ、その閉鎖状態は、ロック装置１０によりロックされる。
【００２３】
次に、球受け皿装置４の動作を説明すると、球受け皿装置４を清掃する場合、先ず、パチンコ遊技機のガラス枠１９を開き、その内側下部に露出した前板解錠用レバーを操作して、図１４に示すように、前板３を開く。
【００２４】
続いて、前板３の内側に現れたロック装置１０をアンロック操作して、装飾カバー５を、前方に開放する。すなわち、ロック装置１０における挟持部材１１，１２の末端の把持部１１ｂ、１２ｂを把持して操作すると、図６、図８のように、挟持部材１１，１２の挟持先端部１１ａ，１２ａを開き、受け部１５を挟持した部分が開放される。これにより、図１４のように、ロック装置１０の挟持先端部１１ａ，１２ａ間から受け部１５が開放され、装飾カバー５が枢軸５ａを軸に前板３から開くように回動し、図２、図４に示すように、球受け皿底部６の上方が開放される。
【００２５】
このように、球受け皿装置４の装飾カバー５が開くと、球受け皿の整流通路４ｂの終端部分から球送り口７までの部分が、球受け皿底部６の上方で開放されて、球送り口７が前方に露出する。したがって、球受け皿上の整流通路４ａの終端部分から球送り口７まで、清掃する際の指が容易に届くこととなり、そこに溜まった塵や汚れを、簡単に除去して清掃することができる。
【００２６】
そして、球受け皿装置４の清掃が終わると、ロック装置１０の挟持先端部１１ａ，１２ａを開きながら、装飾カバー５を前板３に対し閉じるようにし、装飾カバー５の受け部１５をロック装置１０の挟持先端部１１ａ，１２ａに嵌め込む。これにより、装飾カバー５がロック装置１０によってロックされ、前板３の前面に閉じられた状態でロックされる。
【００２７】
このとき、ロック装置１０の挟持先端部１１ａ，１２ａは、その円弧状凹部の内側に受け部１５を挟み付けるように挟持し、且つ挟持先端部１１ａ，１２ａの先端は、図５、図７に示すように、受け部１５の外周部で相互の位置をずらした状態で重なり合って挟持し、捻りコイルばね１４により挟持側に付勢されるため、強力にロックされる。つまり、ロック装置１０の把持部１１ｂ、１２ｂを操作して挟持部材１１，１２を開放しない限り、ロック装置１０の受け部１５に対するロックは、開くことはない。そして次に、前板３が前面枠２に対し閉じられ、閉じた状態で、図示しない前板用施錠具によって施錠される。
【００２８】
このように、球受け皿を清掃しない通常時、装飾カバー５は、前板３に設けたロック装置１０により、前板３に対し強固にロックされているため、無理にこじ開けることは不可能となり、装飾カバー５を開閉可能としたことによる不正行為を、確実に防止することができる。
【００２９】
なお、上記実施形態のパチンコ遊技機は、球受け皿装置４が上皿として機能し、その下方にオーバーフローした遊技球を送るために下皿８が設けられていたが、上皿のみを有したパチンコ遊技機、或いは上皿と下皿の両方の機能を有した球受け皿を備えたパチンコ遊技機の球受け皿装置に、本発明を適用することもできる。
【００３０】
また、上記装飾カバー５は、枢軸５ａを介して回動し、その自由端側を開閉する構造としたが、装飾カバー５を前板３から手前に引き出して、装飾カバー５全体が球受け皿底部６から離間可能となるように構成することもできる。この場合、上記ロック装置は装飾カバーの左右両側に設けてロックすることが望ましいが、装飾カバーの両側縁部に引出しガイド部を設け、前後方向にのみ摺動が可能とすれば、１個のロック装置のみで、装飾カバーをロックすることができる。さらに、装飾カバー５を前板３から取り外すように構成することもできる。
【図面の簡単な説明】
【００３１】
【図１】本発明の一実施形態を示す球受け皿装置を含むパチンコ遊技機の斜視図である。
【図２】球受け皿装置を開いた状態の同パチンコ遊技機の斜視図である。
【図３】球受け皿装置の平面図である。
【図４】装飾カバーを開いた状態の同球受け皿装置の平面図である。
【図５】ロック装置のロック時の斜視図である。
【図６】ロック装置のアンロック時の斜視図である。
【図７】ロック時のロック装置の左側面図である。
【図８】アンロック時のロック装置の左側面図である。
【図９】ロック時のロック装置の平面図である。
【図１０】図９のＸ−Ｘ断面図である。
【図１１】図９のＸＩ−ＸＩ断面図である。
【図１２】図９のＸII−ＸII断面図である。
【図１３】使用状態を示すロック時のロック装置の平面図である。
【図１４】装飾カバー、前板を閉じる際の動きを示す説明断面図である。
【符号の説明】
【００３２】
２      前面枠
３      前板
４      球受け皿装置
４ａ    整流通路
５      装飾カバー
５ａ    枢軸
６      球受け皿底部
７      球送り口
１０    ロック装置
１１    挟持部材
１１ａ  挟持先端部
１１ｂ  把持部
１３    枢軸
１４    捻りコイルばね（ばね弾性部材）
１５    受け部
【図１】
0004468916.tif 000002
【図２】
0004468916.tif 000003
【図３】
0004468916.tif 000004
【図４】
0004468916.tif 000005
【図５】
0004468916.tif 000006
【図６】
0004468916.tif 000007
【図７】
0004468916.tif 000008
【図８】
0004468916.tif 000009
【図９】
0004468916.tif 000010
【図１０】
0004468916.tif 000011
【図１１】
0004468916.tif 000012
【図１２】
0004468916.tif 000013
【図１３】
0004468916.tif 000014
【図１４】
0004468916.tif 000015